(57)【要約】【課題】インターネットに接続可能な無線通信端末において、測定した距離を無線通信端末のキーで直接入力することなく、また面積や体積を電卓などを使用して算出する必要のない無線通信端末を提供する。【解決手段】表示手段６上に商品発注サイトの距離を指定する入力フォームが表示されているときに、距離測定手段２により距離を測定することで自動的に商品発注サイトの入力フォームに表示する。そして、送信操作があると当該距離を商品発注先に送信する。また、表示手段６上に商品発注サイトの面積又は体積を指定する入力フォームが表示されているときに幾つかの距離を測定すると、演算手段５にて面積又は体積を算出して商品発注サイトの入力フォームに表示する。そして、送信操作があると当該面積又は体積を商品発注先に送信する。【選択図】　　　図１
2004110523.tif 000002
【特許請求の範囲】
【請求項１】
距離測定手段と、インターネットを介して接続した所望のショッピングサイトの商品発注入力フォームを表示する表示手段と、前記距離測定手段にて測定された距離の値を前記商品発注入力フォームに表示する制御手段と、前記商品発注入力フォームに表示された距離の値を送信する操作が行われることで無線にて送信する無線通信手段と、を具備することを特徴とする無線通信端末。
【請求項２】
前記距離測定手段にて測定された距離から面積又は体積を算出する演算手段をさらに具備し、前記制御手段は、前記演算手段で算出された面積又は体積の値を前記商品発注入力フォームに表示し、前記無線通信手段は、前記商品発注入力フォームに表示された面積又は体積の値を送信する操作が行われることで無線にて送信することを特徴とする請求項１記載の無線通信端末。
【請求項３】
前記距離測定手段は、回転ローラと、回転ローラの回転数に応じた信号を出力するエンコーダとを具備することを特徴とする請求項１又は請求項２記載の無線通信端末。
【請求項４】
インターネットを介して接続した所望のショッピングサイトの商品発注入力フォームを表示している状態で、距離測定装置にて被測定対象の距離を測定することで、測定した距離又は測定した距離から算出した面積又は体積を前記商品発注入力フォームに表示し、その後、表示した値を送信する操作を行うことで、当該値を商品発注先に送信することを特徴とする無線通信端末を用いた商品発注方法。
【発明の詳細な説明】
【０００１】
【発明の属する技術分野】
本発明は、携帯電話やＰＤＡ（Ｐｅｒｓｏｎａｌ　Ｄｉｇｉｔａｌ　Ａｓｓｉｓｔａｎｔｓ）等の無線通信端末及び無線通信端末を用いた商品発注方法に関する。
【０００２】
【従来の技術】
従来、インターネットに接続可能な機能を備えた携帯電話やＰＤＡ等の無線通信端末では、インターネットのショッピングサイトにて衣服などのサイズ指定を必要とする商品を購入しようとする場合、メジャーを別に用意して距離を測定し、測定した結果をメモに書き留めるなどして記憶し、その値を商品発注サイトの入力フォームに従って無線通信端末のキーを使用して直接入力するという作業を行っている。なお、面積や体積が必要な場合は、距離を測定した後に電卓などを用いて計算する必要がある。
【０００３】
ところで、メジャーを別に用意しなければならないという課題に対して、例えば特許文献１で開示されているように、無線通信端末のアンテナに距離を測定することができる目盛りを付けたものや、例えば特許文献２で開示されているように、無線通信端末に巻尺を内蔵させたものが知られている。
【０００４】
また、電卓を別に用意しなければならないという課題に対して、例えば特許文献３で開示されているように、無線通信端末に電卓を内蔵させたものが知られている。
【０００５】
【特許文献１】
実用新案登録第３０６０９３６号公報
【特許文献２】
特開平１１−２３３０８０号公報
【特許文献３】
特開平１０−２５７１４１号公報
【０００６】
【発明が解決しようとする課題】
しかしながら、従来の無線通信端末においては、目盛りを付けたアンテナや、内蔵した巻尺で距離の測定ができるものの、測定した値を商品発注サイトの入力フォームに入力する時には無線通信端末のキーを用いて直接入力しなければならないという問題がある。
【０００７】
また、無線通信端末に内蔵された電卓を用いて面積や体積を計算して商品発注サイトの入力フォームに入力する時にも、まず測定した距離をキー入力した後、内蔵電卓を用いて計算したのち、その計算結果を直接入力しなければならない。
【０００８】
本発明は、係る点に鑑みてなされたものであり、測定した距離を無線通信端末のキーで直接入力することなく、また面積や体積を電卓などを使用して求める必要のない無線通信端末及び無線通信端末を用いた商品発注方法を提供することを目的とする。
【０００９】
【課題を解決するための手段】
請求項１に係る発明の無線通信端末は、距離測定手段と、インターネットを介して接続した所望のショッピングサイトの商品発注入力フォームを表示する表示手段と、前記距離測定手段にて測定された距離の値を前記商品発注入力フォームに表示する制御手段と、前記商品発注入力フォームに表示された距離の値を送信する操作が行われることで無線にて送信する無線通信手段と、を具備することを特徴とする。
【００１０】
この構成によれば、インターネットを用いて商品を発注する場合で、表示手段上に商品発注サイトの距離を指定する入力フォームが表示されているときに、距離測定手段にて距離を測定することで、自動的に商品発注サイトの入力フォームに表示する。そして、送信操作を行うことにより、当該距離を商品発注先に送信する。したがって、測定した距離を直接キー入力しなくても、自動的に商品発注サイトの入力フォームに表示して商品発注先に送信することができる。
【００１１】
請求項２に係る発明の無線通信端末は、請求項１に係る発明の無線通信端末において、前記距離測定手段にて測定された距離から面積又は体積を算出する演算手段をさらに具備し、前記制御手段は、前記演算手段で算出された面積又は体積を前記商品発注入力フォームに入力し、前記無線通信手段は、前記商品発注入力フォームに入力された面積又は体積を無線にて送信することを特徴とする。
【００１２】
この構成によれば、表示手段上に商品発注サイトの面積又は体積を指定する入力フォームが表示されているときに、幾つかの距離を測定すると、演算手段にて面積又は体積を算出して商品発注サイトの入力フォームに表示する。そして、送信操作を行うことにより、当該面積又は体積を商品発注先に送信する。したがって、電卓等を用いて面積や体積を計算して直接キー入力しなくても、自動的に商品発注サイトの入力フォームに表示して商品発注先に送信することができる。
【００１３】
請求項３に係る発明の無線通信端末は、請求項１又は請求項２に係る発明の無線通信端末において、前記距離測定手段は、回転ローラと、回転ローラの回転数に応じた信号を出力するエンコーダとを具備することを特徴とする。
【００１４】
この構成によれば、距離を測定したい部分をなぞるだけの簡単な操作で距離測定値を入力することができる。
【００１５】
請求項４に係る発明の無線通信端末を用いた商品発注方法は、インターネットを介して接続した所望のショッピングサイトの商品発注入力フォームを表示している状態で、距離測定装置にて被測定対象の距離を測定することで、測定した距離又は測定した距離から算出した面積又は体積を前記商品発注入力フォームに表示し、その後、表示した値を送信する操作を行うことで、当該値を商品発注先に送信することを特徴とする。
【００１６】
この方法によれば、距離測定装置にて測定した被測定対象の距離又は面積又は体積を無線通信端末のキーを使用して商品発注入力フォームに入力しなくても、距離測定後に自動的に商品発注入力フォームに入力し、商品発注先に送信することができる。
【００１７】
【発明の実施の形態】
以下、本発明の実施の形態について、図面を参照して詳細に説明する。
【００１８】
図１は、本発明の実施の形態に係る無線通信端末の構成を示すブロック図である。この図において、本実施の形態の無線通信端末は、キー入力部１と、回転ローラ２ａとエンコーダ２ｂ等を有する距離測定部２と、距離測定部２の出力信号から距離を求める演算を行う距離演算部３と、各種データの記憶を行う記憶部４と、距離演算部３で求められ記憶部４に記憶された距離データから面積又は体積を求める演算を行う演算部５と、記憶部４に記憶された各種データを表示する表示部６と、無線信号の送受信を行う無線通信部７と、装置各部を制御する制御部８とを備えている。制御部８は、インターネットに接続できる機能とインターネットの情報を閲覧できるＷｅｂブラウザを備えている。
【００１９】
次に、本実施の形態の無線通信端末の動作について説明する。但し、インターネットのショッピングサイトにて衣服などのサイズ指定を必要とする商品を発注する場合の動作について説明する。
【００２０】
さて、本無線通信端末をインターネットに接続して所望のショッピングサイトを選択して表示部６上に商品発注サイトの距離を指定する入力フォームが表示されている状態にあるときに、まずキー入力部１のモード選択キー１ａを押して距離測定モードを選択する。
【００２１】
距離測定モードを選択した後、測定開始位置からキー入力部１の測定キー１ｂを押しながら距離測定部２を操作して、距離を測定したい部分をなぞると、なぞっている間、エンコーダ２ｂから回転数を示す信号が距離演算部３に入力される。そして、測定終了位置で測定キー１ｂを離すと、距離演算部３にてエンコーダ２ｂの回転数から距離が算出される。そして、算出された距離が記憶部４に入力されて記憶される。
【００２２】
記憶部４に距離が記憶された後、その値が表示部６上に表示中の商品発注サイトの入力フォームに表示される。測定した距離が入力フォームに表示された後、キー入力部１の送信キー１ｃを押すことにより、制御部８がそのデータを無線通信部７に送り、商品発注先に向けて送信する。
【００２３】
一方、表示部６上に面積又は体積を指定する入力フォームが表示されているときには、まずキー入力部１のモード選択キー１ａを押して、面積又は体積測定モードを選択する。次いで、上記と同様な距離測定方法で幾つかの距離を測定することによって、距離測定部２のエンコーダ２ｂからの回転数を示す信号が距離演算部３に入力されて距離が算出される。そして、算出された幾つかの距離が演算部５に入力されて面積又は体積が算出される。そして、算出された面積又は体積が記憶部４に入力されて記憶される。そして、表示部６上に表示中の商品発注サイトの入力フォームに算出された面積又は体積が表示される。この状態でキー入力部１の送信キー１ｃを押すことにより、制御部８がそのデータを無線通信部７に送り、商品発注先に向けて送信する。
【００２４】
このように、本実施の形態の無線通信端末によれば、インターネットを用いて商品を発注する場合で、表示部６上に商品発注サイトの距離を指定する入力フォームが表示されているときに、距離測定部２により距離を測定することで、自動的に商品発注サイトの入力フォームに表示される。そして、キー入力部１の送信キー１ｃを押すことにより、当該距離が商品発注先に送信される。したがって、測定した距離をキー入力部１から直接入力しなくても、自動的に商品発注サイトの入力フォームに表示して商品発注先に送信することができる。
【００２５】
また、表示部６上に商品発注サイトの面積又は体積を指定する入力フォームが表示されているときに、幾つかの距離を測定すると、演算部５にて面積又は体積が算出されて、商品発注サイトの入力フォームに表示される。そして、キー入力部１の送信キー１ｃを押すことにより、当該面積又は体積が商品発注先に送信される。したがって、電卓等を用いて面積や体積を計算してキー入力部１から直接入力しなくても、自動的に商品発注サイトの入力フォームに表示して商品発注先に送信することができる。
【００２６】
なお、上記実施の形態では、距離測定部２として、回転ローラ２ａとエンコーダ２ｂとを備えた構成のものであったが、回転ローラ２ａに代えて巻尺であっても良い。
【００２７】
【発明の効果】
本発明の無線通信端末によれば、距離測定手段にて被測定対象の距離を測定することで、その測定結果をショッピングサイトの商品発注入力フォームに入力し、その後送信操作が行われることで当該距離を商品発注先に送信するので、インターネットを利用して商品を発注する場合に、測定した距離を無線通信端末のキーで直接入力することなく、自動的に入力して商品発注先に送信することができる。
【００２８】
また、本発明の無線通信端末を用いた商品発注方法によれば、距離測定装置にて測定した被測定対象の距離又は面積又は体積を無線通信端末のキーを使用して商品発注入力フォーム入力しなくても、距離測定後に自動的に商品発注入力フォームに入力し、商品発注先に送信することができる。
【図面の簡単な説明】
【図１】本発明の実施の形態に係る無線通信端末の構成を示すブロック図である。
【符号の説明】
１　キー入力部
１ａ　モード選択キー
１ｂ　測定キー
１ｃ　送信キー
２　距離測定部
２ａ　回転ローラ
２ｂ　エンコーダ
３　距離演算部
４　記憶部
５　演算部
６　表示部
７　無線通信部
８　制御部
【図１】
2004110523.tif 000003